(57)【要約】【課題】管内の損傷部を補修するための管内損傷部封止バンド固定具及び管内損傷部封止バンド固定方法を提供する。【解決手段】管内の損傷部を補修するための管内損傷部封止バンド固定具において、円周方向の両端が楔状に隙間を有し管内の内周面全周囲に亘って敷設されるように薄板で帯状に形成されたバンドと、前記バンドの円周方向の前記隙間を埋めるとともに装着時に前記バンドを管内周面に密着させるように楔状に構成された打ち込み楔とを有し、前記バンドおよび前記打ち込み楔は、敷設後に相互に連結する固定板が隣り合うバンド相互を連結するように構成したことを特徴とする。【選択図】図１
2015209970.tif 000002
【特許請求の範囲】
【請求項１】
管内の損傷部を補修するための管内損傷部封止バンド固定具において、
円周方向の両端が楔状に隙間を有し管内の内周面全周囲に亘って敷設されるように薄板で帯状に形成されたバンドと、
前記バンドの円周方向の前記隙間を埋めるとともに装着時に前記バンドを管内周面に密着させるように楔状に構成された打ち込み楔とを有し、
前記バンドおよび前記打ち込み楔は、敷設後に相互に連結する固定板が隣り合うバンド相互間を連結するように構成したことを特徴とする管内損傷部封止バンド固定具。
【請求項２】
管内の損傷部を補修するための管内損傷部封止バンド固定方法において、
円周方向の両端が楔状の隙間を有し管内の内周面全周囲に亘って敷設されるように薄板で帯状に形成されたバンドと、前記バンドの円周方向の前記隙間を埋めるとともに装着時に前記バンドを管内周面に密着させるように楔状に構成された打ち込み楔と、前記バンドおよび記打ち込み楔を連結する固定板とを順次敷設し、
前記バンドおよび記打ち込み楔を敷設後に前記バンドおよび記打ち込み楔を前記固定板によって連結して固定結合するようにしたことを特徴とする管内損傷部封止バンド固定方法。
【発明の詳細な説明】
【技術分野】
【０００１】
この発明は、水道や下水などの配水管あるいは工業用の排水管などにおける管内の損傷部を補修するための、管内損傷部封止バンド固定具及び管内損傷部封止バンド固定方法に関する。
【背景技術】
【０００２】
従来から、水道や下水などの配水管あるいは工業用の排水管などにおける管内の損傷部を補修するため、補修用の部品や補修方法が提案されており、さらに工事現場では各種の補修方法が用いられてきた。
【０００３】
そして、同一出願人は一つの提案として特許文献１において、管内損傷部封止バンドを発明して具体的に内容を開示した。
【先行技術文献】
【特許文献】
【０００４】
【特許文献１】特開２０１４−５８９９５号公報（図３参照）
【発明の概要】
【発明が解決しようとする課題】
【０００５】
即ち、図３に示すように三枚の損傷部封止バンド２２、２３、２４および打ち込み楔２５によって、損傷部を有する部分の排水管２１等の内面を覆ったうえで、確実に排水管２１等の内面に三枚の損傷部封止バンド２２、２３、２４および打ち込み楔２５固定するためにそれぞれにねじ穴が形成されており、このねじ穴にアンカーボルトを取り付けて締め付けることによって、位置ずれを生じ難くして強固に固定するものである。
【０００６】
しかしながら、アンカーボルトを取り付けて締め付けることによって、一時的には位置ずれが生じ難くなり強固に固定されるが、アンカーボルトにより局部的な応力が管内面にかかるために、経時変化によって排水管等の内面の劣化が進みアンカーボルト先端と排水管等の内面とに隙間が生じ易くなる。また、地震その他の振動によってボルト先端部が微振動を起すことによって排水管などの表面を削り取る現象が生じて、この面からも信頼性を欠くことになる。そのため、このような従来のアンカーボルトを用いた取り付け方法では、長期に亘って損傷部封止バンドを所定状態で固定することが困難である。
【０００７】
このような状況下において補修作業が簡便であって補修の手間が掛からず、かつ補修部分が安定して封止効果が持続可能な補修部品及び補修方法が求められている。
【０００８】
この発明は、前記のような課題を解決するものであり、管内の損傷部を補修するための管内損傷部封止バンドを管内面の損傷部を含む部位に敷設し、当該バンドを管内面に密着させた上で、経時変化に伴う各種の現象よって劣化したりバンドの緩みが生じたりすることとなく、確実に損傷部に設置される管内損傷部封止バンド固定具及び当該バンドを用いた管内損傷部封止バンド固定方法を提供することを目的とする。
【課題を解決するための手段】
【０００９】
上記の目的を達成するため、請求項１に記載の発明によれば、管内の損傷部を補修するための管内損傷部封止バンド固定具において、円周方向の両端が楔状の隙間を有し管内の内周面全周囲に亘って敷設されるように薄板で帯状に形成されたバンドと、前記バンドの円周方向両端の前記隙間を埋めるとともに装着時に前記バンドを管内周面に密着させるように楔状に構成された打ち込み楔とを有し、前記バンドおよび前記打ち込み楔は、敷設後に相互に連結する固定板が隣り合うバンド相互間を連結して固定するように構成したことを特徴とする。
【００１０】
また、請求項２に記載の発明によれば、管内の損傷部を補修するための管内損傷部封止バンド固定方法において、円周方向の両端が楔状の隙間を有し管内の内周面全周囲に亘って敷設されるように薄板で帯状に形成されたバンドと、前記バンドの円周方向の前記隙間を埋めるとともに装着時に前記バンドを管内周面に密着させるように楔状に構成された打ち込み楔と、前記バンドおよび記打ち込み楔を連結して結合する固定板とを順次敷設し、前記バンドおよび記打ち込み楔を敷設後に前記バンドおよび記打ち込み楔を前記固定板によって連結した固定方法を特徴とする。
【発明の効果】
【００１１】
請求項１に記載の発明によれば、バンドおよび打ち込み楔は敷設後に相互に連結する固定板が隣り合うバンド相互を連結して固定するように構成したから、管内の損傷部を補修するための管内損傷部封止バンドを管内面の損傷部を含む部位に敷設し、当該バンドを管内面に密着させた上で局部的な応力を生じさせることなく、経時変化に伴う各種の現象によって劣化したりバンドの緩みが生じたりすることとなく、確実に損傷部に設置される管内損傷部封止バンド固定具を提供し、管内損傷部を補修することができる。
【００１２】
また、請求項２に記載の発明によれば、管内の損傷部を補修するための管内損傷部封止バンドを管内面の損傷部を含む部位に敷設し、当該バンドを管内面に密着させた上で、経時変化に伴う各種の現象によって劣化したりバンドの緩みが生じたりすることとなく、確実に損傷部に設置される管内損傷部封止バンド固定具を用いた管内損傷部封止バンド固定方法を提供できる。
【図面の簡単な説明】
【００１３】
【図１】この発明の実施の一形態による管内損傷部封止バンド固定具の設置を説明した斜視図である。
【図２】この発明の実施の一形態による管内損傷部封止バンドの楔取り付け具を設置した斜視図である。
【図３】従来の管内損傷部封止バンドの斜視図である。
【発明を実施するための形態】
【００１４】
以下、この発明の実施の一形態を図面に基づいて説明する。図１は、既設の排水管２１等の内部に、この排水管２１等の接合部の水漏れや部分的な欠損などが生じることがあり、このような損傷部分２１ａの補修が必要になる場合の解決策の一つである。
【００１５】
損傷部分２１ａを含む円周方向内面に、厚さが５ミリメートルで幅が２００ミリメートルのステンレス鋼板で形成された損傷部封止バンドが貼り付けられる。なお、損傷部封止バンドの厚さ並びに幅は適用される既設の排水管２１等の内径及び損傷部の幅に対応して適宜設定され、厚さが１２ミリメートル以上に及ぶこともある。
【００１６】
図１は、この発明が適用される損傷部封止バンド２２，２３，２４及び打ち込み楔２５を設置した場合の斜視図である。既設の排水管２１等は、例えば内径が１１００ミリメートルのヒューム管などで製作され設置されている。
【００１７】
この損傷部封止バンドは一枚で構成しても良いが、運搬などの都合上から本実施形態では三枚の損傷部封止バンド２２、２３、２４及び打ち込み楔２５で構成している。また、損傷部封止バンド２２，２３，２４の両側終端の接合部分には、図１に示すように打ち込み楔２５が配置される。打ち込み楔２５は隙間２８に挿入するために一方が広口２５ｂで、他方が狭口２５ａとなるように構成される。即ち、図１に示すように損傷部封止バンドは、三枚のバンド２２、２３、２４を連結して構成され、下側に構成される両側終端の接合部分には、打ち込み楔２５を挿入する隙間２８が形成されている。
【００１８】
楔状の傾斜角度は実験結果からは８〜９°が好ましい。そして、傾斜した楔状の端面両側には図１に示すように細長い突起２５ｃが形成されている。この端面両側の細長い突起２５ｃは、封止バンド２２、２４の両側終端の接合部分に打ち込み楔２５が挿入される際に、両側終端の接合部分に形成された薄い幅の溝２２ａ、２４ａに嵌合される。
【００１９】
本発明は、このように構成された封止バンド２２、２３、２４および打ち込み楔２５のそれぞれの接合部に、固定板３４を取り付けて排水管２１等の接合部の水漏れ或は部分的な欠損などの損傷部分２１ａの補修を完全にするものである。
【００２０】
即ち、図１に示すように封止バンド２２、２４の端部及び打ち込み楔２５の中央部にはそれぞれねじ穴２２ｂ、２４ｂ及び２５ｄが形成されている。そして、固定板３４にはこれらのねじ穴に対応させるべく、ねじ取り付け穴３４ａおよび３４ｂが形成されている。ここで、ねじ取り付け穴３４ａおよび３４ｂは、封止バンド２２、２４の端部及び打ち込み楔２５の延び縮みや製作誤差のために位置ずれが生じるのでこの点を考慮してある。即ち、封止バンド２２、２４のそれぞれねじ穴２２ｂ、２４ｂに対応するねじ取り付け穴３４ａは円周方向の長穴とし、打ち込み楔２５のねじ穴２５ｃに対応するねじ取り付け穴３４ｂは円筒方向の長穴として形成されている。
【００２１】
固定板３４の敷設には、三枚の封止バンド２２、２３、２４を連結して排水管２１等の内面に仮止めされ、最後に打ち込み楔２５が排水管２１等の内面で円筒方向から両側終端の接合部分の隙間２８に挿入された後、ねじ穴２２ｂ、２４ｂ及び２５ｃに合わせて固定板３４が設置されて、取り付けねじがそれぞれのねじ穴２２ｂ、２４ｂ及び２５ｄに取り付けられる。
【００２２】
即ち、打ち込み楔２５の挿入により封止バンド全体の内径が大きく膨らむことを意味し、それによって封止バンド２２、２３、２４を排水管２１等の内面に密着させるように作用するが、この状態で放置すると打ち込み楔２５が抜ける方向に位置ずれなどを生じ易い。そのために固定板３４を取り付けることによって損傷部封止バンド２２、２３、２４及び打ち込み楔２５の設置当初の強固な取り付け状態を維持し、そのような問題が生じないようにしている。
【００２３】
上記実施形態では、固定板３４が打ち込み楔２５の部分に取り付けられた実施形態について説明したが、封止バンド２２、２３、２４の相互間の接合部に取り付けて実施することもできる。
【００２４】
また、固定板３４と封止バンド２２、２３、２４および打ち込み楔２５との結合を、ねじによって取り付ける実施形態について説明したが、これに限定されるものでなくリベットや溶接或は強力な接着剤によって結合しても良い。
【００２５】
なお、本発明は上記実施形態に限定されるものではなく、本発明の技術思想の範囲内で適宜実施形態を変更して実施することができる。
【符号の説明】
【００２６】
２１；既設の排水管
２１ａ；損傷部分
２２，２３，２４；損傷部封止バンド
２５；打ち込み楔
３４；固定板
【図１】
2015209970.tif 000003
【図２】
2015209970.tif 000004
【図３】
2015209970.tif 000005